(57)【要約】【課題】眩しさの程度の主観評価の信頼性を向上させることができる眩しさ評価システムおよび眩しさ評価プログラムを提供する。【解決手段】眩しさ評価システム１の制御部３は、タイマ３ａが計時している時間に基づいて評価対象光源５を制御するとともに、評価対象光源５の照明条件Ｔｋと照明条件Ｔｋの下での眩しさの程度の評価結果Ｇｋとを互いに対応するように記憶部９に記憶させる。制御部３は、評価対象光源５を消灯した場合においては、タイマ３ａが照明条件Ｔｋに応じて予め定められたリセット時間Ｒｋを計時した後に、評価対象光源５を再度点灯させる。【選択図】図１
2016140612.tif 000002
【特許請求の範囲】
【請求項１】
眩しさの程度が被験者によって評価される評価対象光源と、
前記評価対象光源の照明条件を入力するための照明条件入力部と、
前記評価対象光源の眩しさの程度の評価結果を入力するための評価結果入力部と、
前記照明条件入力部によって入力された前記照明条件および前記評価結果入力部によって入力された前記眩しさの程度の評価結果を記憶するための記憶部と、
タイマが計時している時間に基づいて前記評価対象光源を制御するとともに、前記照明条件と前記照明条件の下での前記眩しさの程度の評価結果とを互いに対応するように前記記憶部に記憶させる制御部と、を備え、
前記制御部は、前記評価対象光源を消灯した場合においては、前記タイマが前記照明条件に応じて予め定められたリセット時間を計時した後に、前記評価対象光源を再度点灯させる、眩しさ評価システム。
【請求項２】
前記照明条件は、前記評価対象光源の輝度を含み、
前記リセット時間は、前記輝度が高くなるにつれて、長くなるように予め設定されている、請求項１に記載の眩しさ評価システム。
【請求項３】
前記照明条件入力部は、前記リセット時間を入力するように構成されており、
前記制御部は、前記照明条件入力部によって入力された前記リセット時間に基づいて、前記評価対象光源を制御する、請求項１に記載の眩しさ評価システム。
【請求項４】
前記制御部は、前記眩しさの程度の評価結果が入力された後においては、前記タイマが前記リセット時間を計時し終えるまでは、前記眩しさの程度の評価結果の入力のための操作が前記評価結果入力部に対して行われても、前記記憶部に前記眩しさの程度の評価結果を記憶させない、請求項１〜３のいずれかに記載の眩しさ評価システム。
【請求項５】
前記被験者の眼以外の感覚器に刺激を与えることにより前記被験者に伝達することが可能な情報を発生させる情報発生部をさらに備え、
前記制御部は、前記評価結果入力部によって前記眩しさの程度の評価結果を入力すべきタイミングであることを前記被験者に認識させることが可能な特定の情報を前記情報発生部に発生させる、請求項１〜４のいずれかに記載の眩しさ評価システム。
【請求項６】
前記評価対象光源の背景光の輝度を計測する輝度計測部をさらに備え、
前記制御部は、前記輝度計測部によって計測された前記輝度と前記眩しさの程度の評価結果とを互いに対応するように前記記憶部に記憶させる、請求項１〜５のいずれかに記載の眩しさ評価システム。
【請求項７】
前記被験者の眼の画像を撮像する撮像部をさらに備え、
前記制御部は、
前記撮像部によって撮像された画像に基づいて、前記被験者の眼が開き度合を算出する算出部と、
前記算出部によって算出された前記眼の開き度合が所定の開き度合以上であるか否かを判定する判定部と、を含み、
前記制御部は、前記判定部によって判定された前記眼の開き度合が前記所定の開き度合以上である場合に、前記眩しさの程度の評価結果と前記眼の開き度合が前記所定の開き度合以上であることを特定可能な情報とを互いに対応するように前記記憶部に記憶させる、請求項１〜６のいずれかに記載の眩しさ評価システム。
【請求項８】
前記被験者の顔を保持することにより、前記被験者の視線が前記評価対象光源を向くか、または、前記評価対象光源が前記被験者の視界の中に入るように前記被験者の視点の位置を固定する視点位置固定部をさらに備えた、請求項１〜７のいずれかに記載の眩しさ評価システム。
【請求項９】
前記被験者に複数種類の視標のいずれか１つを提示する視標提示部をさらに備え、
前記制御部は、前記眩しさの程度の評価結果と前記視標の種類とを互いに対応するように前記記憶部に記憶させる、請求項１〜８のいずれかに記載の眩しさ評価システム。
【請求項１０】
前記評価対象光源とは別に基準光源をさらに備え、
前記照明条件入力部は、前記評価対象光源の照明条件に加えて、前記基準光源の照明条件を入力するように構成されており、
前記制御部は、前記基準光源の照明条件と前記眩しさの程度の評価結果とを互いに対応するように前記記憶部に記憶させる、請求項１〜９のいずれかに記載の眩しさ評価システム。
【請求項１１】
眩しさの程度が被験者によって評価される評価対象光源と、
前記評価対象光源の照明条件を入力するための照明条件入力部と、
前記評価対象光源の眩しさの程度の評価結果を入力するための評価結果入力部と、
前記照明条件入力部によって入力された前記照明条件および前記評価結果入力部によって入力された前記眩しさの程度の評価結果を記憶するための記憶部と、を備えた眩しさ評価システムにおいて用いられる眩しさ評価プログラムであって、
制御部としてのコンピュータに、
タイマが計時している時間に基づいて前記評価対象光源を制御するとともに、前記照明条件と前記照明条件の下での前記眩しさの程度の評価結果とを互いに対応するように前記記憶部に記憶させるステップ、および、
前記評価対象光源を消灯した場合においては、前記タイマが前記照明条件に応じて予め定められたリセット時間を計時した後に、前記評価対象光源を再度点灯させるステップ
を実行させる、眩しさ評価プログラム。
【発明の詳細な説明】
【技術分野】
【０００１】
本発明は、評価対象光源が発する光の眩しさの程度の被験者による主観的な評価結果を得るための眩しさ評価システムおよび眩しさ評価プログラムに関する。
【背景技術】
【０００２】
従来から、所望の程度の眩しさの光を発する照明器具を製造するために、特許文献１に開示されているように、照明器具が発する光の眩しさの程度を客観的に評価することが行われている。また、一般に、眩しさの程度の評価においては、主に評価対象光源が発する光を被験者がどの程度眩しく感じるかを被験者自身に回答させる主観評価も用いられている。この眩しさの程度の主観評価においては、暗室内において評価対象光源が点灯している状態で、暗室内に存在する被験者が、自身が感じる眩しさの程度を回答する。この被験者の眩しさの程度の回答に基づいて、評価対象光源の眩しさの程度が決定される。
【先行技術文献】
【特許文献】
【０００３】
【特許文献１】特開２００７−６８９２５号公報
【発明の概要】
【発明が解決しようとする課題】
【０００４】
上記した従来の眩しさの程度の主観評価においては、暗室内において、複数回の眩しさ評価が連続して繰り返される。この複数回の眩しさ評価同士の間の待ち時間であるリセット時間を制御する眩しさ評価システムは存在しない。そのため、被験者は、前回の評価対象光源の点灯中における光の残像が網膜上に残っている状態で、今回の評価対象光源の点灯中における光の眩しさの程度を評価してしまう場合がある。この場合には、今回の評価対象光源の点灯中に被験者が感じる眩しさの程度は、被験者の網膜上に前回の評価対象光源の点灯中における光の残像が残っていない状態で被験者が感じる眩しさの程度とは異なったものになってしまう。したがって、眩しさの程度の主観評価の信頼性が低下してしまう。
【０００５】
本発明は、上述の問題に鑑みてなされたものであり、その目的は、眩しさの程度の主観評価の信頼性を向上させることができる眩しさ評価システムおよび眩しさ評価プログラムを提供することである。
【課題を解決するための手段】
【０００６】
本発明の眩しさ評価システムは、眩しさの程度が被験者によって評価される評価対象光源と、前記評価対象光源の照明条件を入力するための照明条件入力部と、前記評価対象光源の眩しさの程度の評価結果を入力するための評価結果入力部と、前記照明条件入力部によって入力された前記照明条件および前記評価結果入力部によって入力された前記眩しさの程度の評価結果を記憶するための記憶部と、タイマが計時している時間に基づいて前記評価対象光源を制御するとともに、前記照明条件と前記照明条件の下での前記眩しさの程度の評価結果とを互いに対応するように前記記憶部に記憶させる制御部と、を備え、前記制御部は、前記評価対象光源を消灯した場合においては、前記タイマが前記照明条件に応じて予め定められたリセット時間を計時した後に、前記評価対象光源を再度点灯させる。
【０００７】
本発明の眩しさ評価プログラムは、眩しさの程度が被験者によって評価される評価対象光源と、前記評価対象光源の照明条件を入力するための照明条件入力部と、前記評価対象光源の眩しさの程度の評価結果を入力するための評価結果入力部と、前記照明条件入力部によって入力された前記照明条件および前記評価結果入力部によって入力された前記眩しさの程度の評価結果を記憶するための記憶部と、を備えた眩しさ評価システムにおいて用いられる眩しさ評価プログラムであって、制御部としてのコンピュータに、タイマが計時している時間に基づいて前記評価対象光源を制御するとともに、前記照明条件と前記照明条件の下での前記眩しさの程度の評価結果とを互いに対応するように前記記憶部に記憶させるステップ、および、前記評価対象光源を消灯した場合においては、前記タイマが前記照明条件に応じて予め定められたリセット時間を計時した後に、前記評価対象光源を再度点灯させるステップを実行させる。
【発明の効果】
【０００８】
本発明によれば、眩しさの程度の主観評価の信頼性を向上させることができる。
【図面の簡単な説明】
【０００９】
【図１】本発明の実施の形態の眩しさ評価システムの全体構成を示す図であって、主として暗室の内部の構成を説明するための図である。
【図２】本発明の実施の形態の眩しさ評価システムの全体構成を示す図であって、主として暗室の外部の構成を説明するための図である。
【図３】本発明の実施の形態の眩しさ評価システムの記憶部に格納されたデータテーブルを示す図である。
【図４】本発明の実施の形態の眩しさ評価システムの評価結果入力部を示す図である。
【図５】光の残像が網膜上に生じる原理を説明するための図である。
【図６】ランドルト環を用いた視力検査を説明するための図である。
【図７】コントラスト感度テストを説明するための図である。
【図８】立体視検査を説明するための図である。
【発明を実施するための形態】
【００１０】
以下、図面を参照しながら、本発明の実施の形態の眩しさ評価システムおよび眩しさ評価プログラムを説明する。なお、実施の形態の眩しさ評価システムは、被験者が評価対象光源の眩しさの程度を主観的に評価するためのものである。
【００１１】
図１および図２に示されるように、実施の形態の眩しさ評価システム１は、筐体によって構成された暗室１００の内部と、その暗室１００の外部とに分けて設けられている。より具体的には、眩しさ評価システム１においては、暗室１００の内部の機器と暗室１００の外部の機器とが、有線信号または無線信号によって互いに通信するように接続されている。ただし、眩しさ評価システム１の全ての構成が、暗室１００内に設けられていてもよい。暗室１００を構成する筐体は、被験者２００が出入りするための扉を有しているが、光が外部から内部へ暗室１００内に侵入しないように構成されている。したがって、暗室１００内の空間は、完全に光がない状態になり得る。
【００１２】
眩しさ評価システム１を用いる眩しさ評価のときには、被験者２００は、暗室１００内に存在する。被験者２００は、暗室１００内において、評価対象光源５の眩しさの程度を主観的に評価する。一方、暗室１００の外には、検査者３００が存在する。検査者３００は、評価対象光源５が発する光に関する照明条件等Ｔｋを、照明条件入力部８を用いて眩しさ評価システム１の制御部３へ入力する。図１および図２において、本実施の形態の眩しさ評価システム１は、被験者２００、検査者３００、暗室１００、机１１０、および椅子１１１以外の構成である。
【００１３】
図１に示されるように、暗室１００内には、机１１０と椅子１１１とが置かれている。机１１０の上には、評価対象光源５、評価結果入力部４、および視標提示部２が置かれている。机１１０には、視点位置固定部２１０が固定されている。評価対象光源５が設置されている照明器具には、輝度計測部７と撮像部１１とが設けられている。椅子１１１には被験者２００が座っている。暗室１００の天井面には、基準光源６が設けられている。暗室１００の内壁面には、音発生部１２が取り付けられている。
【００１４】
評価対象光源５は、その発する光の眩しさの程度が被験者２００によって評価される光源である。評価対象光源５は、制御部３から送信されてきた制御信号によって制御されることにより、その発光態様を変化させる。より具体的には、評価対象光源５は、制御部３に制御されることによって、輝度および色温度を変更可能に構成されている。制御部３は、評価対象光源５の照明条件を把握している。したがって、評価対象光源５は、制御部３に制御されることによって、その発光のタイミングおよび複数回の発光の期間同士の間のリセット期間Ｒｋ等を変更され得るように構成されている。本実施の形態においては、評価対象光源５は、机１１０上に設定される照明器具に設けられている。しかしながら、評価対象光源５は、天井面に取り付けられた照明器具、壁面に取り付けられた照明器具、または床面から立ち上がる照明器具等、いかなるものであってもよい。
【００１５】
評価結果入力部４は、評価対象光源５の眩しさの程度の評価結果Ｇｋを入力するためのものである。評価結果入力部４は、たとえば、タッチパネルからなり、被験者２００が複数の眩しさの程度のうちからいずれか１つの眩しさの程度を選択できるように構成されている。被験者２００が評価結果入力部４のタッチパネルの複数の眩しさの程度のいずれかに対応する部分に触れることにより、その眩しさの程度を特定可能な評価結果信号が制御部３へ送信される。この眩しさの程度の詳細は、後述される。評価結果入力部４は、被験者２００の操作によって、評価対象光源５の眩しさの程度の評価結果Ｇｋを特定可能な信号を制御部３へ送ることができるものであれば、いかなるものであってもよい。
【００１６】
視標提示部２は、被験者２００に、文字、図形、記号、絵、画像、または動画等からなる複数種類の視標のうちのいずれか１つを提示する。本実施の形態においては、視標提示部２は、液晶ディスプレイ等の制御部３から送信されてきた制御信号によって制御され、前述の複数種類の視標のうちのいずれか１つの指標を提示し得る装置であるものとする。ただし、視標提示部２は、絵本のような紙媒体からなり、制御部３が制御しないものであってもよい。視標提示部２は、被験者２００が視標を見ているときの眩しさの程度を評価するためのものであるため、視標とは無関係に眩しさの程度を評価する場合には設けられていなくてもよい。
【００１７】
視点位置固定部２１０は、被験者２００の光に対する感度を一定にするために、光の刺激が与えられる網膜上の位置を一点に固定するために設けられている。本実施の形態においては、視点位置固定部２１０は、被験者２００の額と顎とを固定しているが、被験者２００の視点を固定できるように被験者２００の顔を固定するものであれば、いかなるものであってもよい。視点位置固定部２１０は、被験者２００が自らの意思で視点をある程固定できるのであれば、設けられていなくてもよい。
【００１８】
輝度計測部７は、評価対象光源５の近傍に設けられており、評価対象光源５の背景光の輝度を計測する。輝度計測部７は、取得した背景光の輝度を特定可能な輝度信号を制御部３へ送信する。評価対象光源５が発する光の輝度は、検査者３００が照明条件入力部８を用いて入力した値であり、照明条件入力部８から制御部３へ送信される。そのため、制御部３は、輝度計測部７から評価対象光源５の背景光の輝度を特定可能な輝度信号を受信すると、評価対象光源５が発する光と評価対象光源５の背景光とのコントラストを把握することができる。
【００１９】
撮像部１１は、被験者２００の眼２２０の画像を撮像するように評価対象光源５を構成する照明器具に取り付けられている。撮像部１１は、撮像した画像データを制御部３へ送信する。制御部３は、撮像部１１から送信されてきた被験者２００の眼２２０の画像データに基づいて、眼２２０の開き度合Ｏｋを算出する。
【００２０】
基準光源６は、評価対象光源５とは別に設けられた光源である。基準光源６は、暗室１００内の状態を日常生活の状態に近い状態にするための光源である。基準光源６も、評価対象光源５と同様に、制御部３から送信されてきた制御信号によって制御され、その発光態様を変化させる。より具体的には、基準光源６は、制御部３に制御されることによって、輝度および色温度を変更可能に構成されている。基準光源６も、評価対象光源５と同様に、制御部３に制御されることによって、その発光のタイミングおよび複数回の発光の期間同士の間のリセット期間Ｒｋ等が変更され得るように構成されている。したがって、制御部３は、評価対象光源５の照明条件Ｔｋとともに、基準光源６の照明条件Ｓｋも把握している。
【００２１】
本実施の形態においては、基準光源６は、天井面に取り付けられた照明器具に設けられている。しかしながら、基準光源６は、壁面に取り付けられた照明器具または床面から立ち上がる照明器具に設けられていてもよい。基準光源６は、日常生活に近い状態で、評価対象光源５の眩しさの程度を評価するために用いられるが、暗闇において評価対象光源５が発する光の眩しさの程度を評価する場合等においては、設けられていなくてもよい。
【００２２】
音発生部１２は、評価結果入力部４によって眩しさの程度の評価結果Ｇｋを入力すべきタイミングであることを被験者２００に認識させることが可能な特定の音情報を発生するためのものである。音発生部１２は、制御部３によって自動的に制御されるように、眩しさ評価プログラム３０が構成されている。たとえば、音発生部１２は、制御部３に制御されることにより、暗室１００内で待機している被験者２００に音声等で眼２２０を閉じるように指示する音情報を自動的に発生してもよい。また、音発生部１２は、評価対象光源５が点灯しているときに、制御部３に制御されることにより、被験者２００に音声等で眼２２０を開けるように指示する音情報を自動的に発生してもよい。ただし、音発生部１２は、検査者３００がマイクロフォンを利用して音発生部１２から検査者３００の音声を発生させるように構成されていてもよい。
【００２３】
図２に示されるように、暗室１００の外側には、制御部３が設置されている。制御部３には、照明条件入力部８、記憶部９、およびディスプレイ１０のそれぞれが通信可能に接続されている。
【００２４】
照明条件入力部８は、検査者３００が評価対象光源５の照明条件Ｔｋを入力するために用いられる。照明条件入力部８は、検査者３００が基準光源６の照明条件Ｓｋを入力するためにも用いられ得る。評価対象光源５の照明条件Ｔｋおよび基準光源６の照明条件Ｓｋは、検査者３００によって照明条件入力部８の操作によって入力されると、照明条件入力部８から制御部３へ送信される。評価対象光源５の照明条件Ｔｋおよび基準光源６の照明条件Ｓｋ、ならびに、眩しさの程度の評価結果Ｇｋは、制御部３から記憶部９へ送信され、記憶部９のデータテーブル９ａに記憶される。
【００２５】
図３に示されるように、記憶部９は、データテーブル９ａを有している。データテーブル９ａは、評価対象光源５の照明条件Ｔｋ、リセット時間Ｒｋ、背景輝度Ｂｋ、視標の種類Ｅｋ、基準光源６の照射条件Ｓｋ、眼２２０の開き度合Ｏｋ、被験者を特定可能な情報Ｐｋ、および眩しさの程度の評価結果Ｇｋを記憶する。ここで、ｋは、１〜ｎの自然数である。データテーブル９ａは、後に詳述される。
【００２６】
制御部３は、時間を計時するタイマ３ａを有している。制御部３は、タイマ３ａが計時している時間に基づいて評価対象光源５および基準光源６のそれぞれの発光態様を制御する。また、制御部３は、視標提示部２において提示される視標を制御する。さらに、制御部３は、音発生部１２が発生する音を制御する。さらに、制御部３は、ディスプレイ１０に表示される画像を制御することができる。また、制御部３は、たとえば、評価対象光源５の照明条件Ｔｋと照明条件Ｔｋの下での眩しさの程度の評価結果Ｇｋとを互いに対応するように記憶部９に記憶させる。この制御部３による具体的な制御は、後述される。
【００２７】
ディスプレイ１０は、眩しさ評価が実行されている間においては、検査者３００の眼２２０の画像を表示する。一方、ディスプレイ１０は、検査者３００による制御部３の操作によって、図３に示されているデータテーブル９ａに記憶されているデータを表示する。たとえば、ディスプレイ１０は、記憶部９に記憶された照明条件Ｔｋと照明条件Ｔｋの下での眩しさの程度の評価結果Ｇｋを対応させて表示することができる。また、ディスプレイ１０は、たとえば、リセット時間Ｒｋを照明条件Ｔｋおよび眩しさの程度の評価結果Ｇｋに対応させて表示することができる。これに関しては、次に詳細に述べる。
【００２８】
図３に示されるように、制御部３は、記憶部９を備えている。本実施の形態においては、記憶部９は、輝度等の照明条件Ｔｋのデータとリセット時間Ｒｋのデータとが互いに対応するように記憶されたデータテーブル９ａを有している。制御部３は、照明条件入力部８によって入力された輝度等の照明条件Ｔｋに対応するリセット時間Ｒｋをデータテーブル９ａから抽出する。その後、制御部３は、評価対象光源５を消灯させた後、タイマ３ａがデータテーブル９ａから抽出されたリセット時間Ｒｋを計時した場合に、評価対象光源５を再度点灯させる。評価対象光源５の輝度が評価対象光源５の点灯ごとに異なる値に設定されていれば、それぞれの輝度に対応する被験者２００が感じる眩しさの程度の評価結果Ｇｋを得ることができる。この複数の輝度の値は、制御部３内の眩しさ評価プログラム３０に含まれている。
【００２９】
制御部３は、データテーブル９ａの代わりに、評価対象光源５の輝度に基づいてリセット時間Ｒｋを算出するための算出式を備えていてもよい。この場合、制御部３は、算出式に照明条件入力部８によって入力された輝度を代入することによって、演算結果としてのリセット時間Ｒｋを算出する。
【００３０】
照明条件入力部８が、リセット時間Ｒｋを入力するように構成されていてもよい。この場合、制御部３は、照明条件入力部８によって入力されたリセット時間Ｒｋに基づいて、評価対象光源５を制御する。これによれば、検査者３００の判断でリセット時間Ｒｋを決定することができる。そのため、被験者２００の個人差等の、評価対象光源５の輝度以外の眩しさ評価に影響を与える要因を考慮して、リセット時間Ｒｋを変更することができる。
【００３１】
背景輝度Ｂｋ、視標の種類Ｅｋ、基準光源の照射条件Ｓｋ、および被験者２００を特定可能な情報Ｐｋは、検査者３００が照明条件入力部８を操作することによって入力されたデータである。眼２２０の開き度合Ｏｋは、撮像部１１によって撮像された画像に基づいて制御部３によって算出されたデータであって、所定値以上であるある場合と所定値よりも小さい場合とを識別できるように記憶されている。眩しさの程度の評価結果Ｇｋは、被験者２００が評価結果入力部４を操作することによって入力されたデータである。
【００３２】
照明条件Ｔｋ、リセット時間Ｒｋ、背景輝度Ｂｋ、視標の種類Ｅｋ、照射条件Ｓｋ、眼２２０の開き度合Ｏｋ、被験者２００を特定可能な情報Ｐｋ、および眩しさの程度の評価結果Ｇｋは、互いに対応するようにデータテーブル９ａに記憶される。データテーブル９ａは、ｋ＝１，２，３・・・ｎ-１，ｎの複数回の眩しさ評価のそれぞれごとに、Ｔｋ、Ｒｋ、Ｂｋ、Ｅｋ、Ｓｋ、Ｏｋ、Ｐｋ、およびＧｋを互いに対応するように記憶している。
【００３３】
眩しさの程度の評価結果Ｇの一例として、グレアインデックス法によって算出されたＧＩ値がある。一般に、眩しさの程度は、ＧＩ値のそれぞれの値ごとに、次のように分類される。
【００３４】
（１）  ＧＩ値≧２８：Intolerable  （ひどすぎる、耐え難い）
（２）  ＧＩ値＝２８：Just Intolerable  （ひどすぎると感じ始める）
（３）  ＧＩ値＝２５：Uncomfortable but not intolerable  （不快である）
（４）  ＧＩ値＝２２：Just uncomfortable  （不快であると感じ始める）
（５）  ＧＩ値＝１９：Unacceptable but not uncomfortable  （気になる）
（６）  ＧＩ値＝１６：Just acceptable  （気になり始める）
（７）  ＧＩ値＝１３：Perceptible but unacceptable  （感じられる）
（８）  ＧＩ値＝１０：Just perceptible  （感じ始める）
（９）  ＧＩ値≦１０：Imperceptive  （感じない）
被験者２００は、評価結果入力部４を操作することによって、上記の（１）〜（９）の９段階のうちのいずれかを入力することにより、眩しさの程度の評価結果Ｇｋを制御部３へ送信する。それにより、制御部３は、照明条件Ｔｋと眩しさの程度の評価結果Ｇｋとが対応するように記憶部９に記憶させる。
【００３５】
ただし、本実施の形態においては、図４に示されるように、評価結果入力部４は、６段階の眩しさの程度を入力するように構成されているものであってもよい。
【００３６】
上記のＧＩ値に準じる眩しさの程度の評価結果として、次のように分類する手法がある。
【００３７】
（Ａ）  まぶしくない
（Ｂ）  ややまぶしい
（Ｃ）  まぶしい
（Ｄ）  非常にまぶしい
この尺度が用いられる場合も、被験者２００は、評価結果入力部４を操作することによって、上記の（Ａ）〜（Ｄ）のいずれかを入力することにより、眩しさの程度の評価結果Ｇを制御部３へ送信する。
【００３８】
眩しさの程度の分類は、比較の対象となる眩しさの程度を同一の尺度を用いて評価するのであれば、いかなるものであってもよい。
【００３９】
図５に示されるように、光Ｌは、レンズＣを通過した後、網膜Ｍに照射される。光Ｌの刺激は、網膜Ｍ上でロドプシンＲが分解されることによって脳Ｂへ伝達される。ロドプシンＲは、再生成され得るものであるが、光Ｌが網膜Ｍに照射されている期間においては、分解され続けるため、再生しない。つまり、ロドプシンＲの再生のためには、網膜Ｍに光の刺激が与えられていない状態で、ある程度の時間が経過することを要する。したがって、評価対象光源５が消灯された後、被験者２００が光の刺激のない暗室１００内で待機する状態が維持されるように、リセット時間Ｒｋにおいては、制御部３は、評価対象光源５および基準光源６を消灯させる。被験者２００がその暗室１００内で待機しているリセット時間Ｒｋが十分に長く設定されていると、ロドプシンＲが完全に再生成される。リセット時間Ｒｋを十分に長く設定することで、被験者２００の身体の状態が常に同じ状態であるという条件の下で、眩しさの程度を評価することができる。たとえば、リセット時間Ｒｋは、２分〜５分等が想定されている。
【００４０】
上述のように、本実施の形態の眩しさ評価方法においては、評価対象光源５および基準光源６のいずれもが消灯され、暗室１００内が真っ暗な状態で被験者は待機する。ただし、基準光源６の眩しさの輝度がロドプシンＲの再生に悪影響与えない程度であるのであれば、評価対象光源５のみが消灯され、基準光源６は点灯された状態であってもよい。これによれば、被験者２００が暗闇の中で待機しなくてもよい。
【００４１】
上記のような本実施の形態の眩しさ評価システム１においては、制御部３は、眩しさ評価プログラム３０を内蔵している。眩しさ評価プログラム３０は、コンピュータに、以下に説明するような制御部３の機能を実現させる。
【００４２】
制御部３は、評価対象光源５を消灯した場合においては、タイマ３ａが評価対象光源５の照明条件Ｔｋに応じて予め定められたリセット時間Ｒｋを計時した後に、評価対象光源５を再度点灯させる。そのため、評価対象光源５が発した光の残像が被験者２００の網膜に残っていない程度にリセット時間Ｒｋを長く設定しておけば、リセット時間Ｒｋ経過後の眩しさ評価結果Ｇｋの信頼性を向上させることができる。たとえば、評価対象光源５の輝度が最も高い状態で行われた眩しさの程度が評価された後においても、被験者２００の網膜上に評価対象光源５が発した光の残像が生じていない程度まで、リセット時間Ｒｋを十分に長くとっておくことが好ましい。これによれば、照射条件Ｔｋに応じてリセット時間Ｒｋを異ならせる必要はない。
【００４３】
なお、本明細書においては、リセット時間Ｒｋとは、被験者２００の網膜が評価対象光源５および基準光源６の前回の発光の影響から回復するために必要であると推定される時間である。つまり、リセット時間Ｒｋは、被験者２００の網膜から残像が消滅するまでに必要であると推定される時間である。このリセット時間Ｒｋにおいては、被験者２００は評価対象光源５および基準光源６が消灯している暗室１００内で待機する。それにより、被験者２００の網膜は、前回の評価対象光源５および基準光源６が発した光の残像が残っている状態から回復する。このリセット時間Ｒｋがあまりにも短いと、被験者２００の網膜上では、前回の評価対象光源５および基準光源６の点灯中の光の残像が消滅していない。そのため、複数回の評価対象光源５および基準光源６の点灯同士の間には、以前の光が被験者２００の網膜に与えた影響から被験者２００を回復させるために必要なリセット時間Ｒｋが設定されている。
【００４４】
本明細書においては、評価対象光源５の照明条件Ｔｋは、評価対象光源５が眩しさの程度の評価に影響を与える可能性があるもの全てを含む。評価対象光源５の照明条件Ｔｋは、評価対象光源５の輝度および大きさ、ならびに、被験者２００と評価対象光源５との間の距離を含んでいることが好ましい。また、評価対象光源５の照明条件Ｔｋは、丸型または角型等の光源の形状の情報、配光の広さの情報、または、光源の色温度の情報を含んでいてもよい。
【００４５】
眩しさ評価システム１は、記憶部９に記憶された照明条件Ｔｋとその照明条件Ｔｋの下での眩しさの程度の評価対象光源５の評価結果Ｇｋとを出力する出力部をさらに備えている。出力部は、記憶部９に記憶されたデータを電子情報として出力する出力ポートであってもよい。これによれば、メモリスティック等を出力ポートに接続することにより、データをメモリスティック等の携帯型記憶媒体にコピーすることができる。また、出力部は、記憶部９に記憶された照明条件Ｔｋとその照明条件Ｔｋの下での眩しさの程度の評価結果Ｇｋとを文字および数字等によって表示するディスプレイ１０であってもよい。これによれば、検査者３００は、照明条件Ｔｋとその照明条件Ｔｋの下での眩しさの程度の評価結果Ｇｋとを対応関係を容易に把握することができる。
【００４６】
評価対象光源５の照明条件Ｔｋは、評価対象光源５の輝度を含んでいる。また、本実施の形態においては、リセット時間Ｒｋは、輝度が高くなるにつれて、長くなるように予め設定されている。つまり、眩しさ評価プログラム３０に、輝度が高くなるにつれて長くなるリセット時間Ｒｋが含まれている。そのため、評価対象光源５が発した光の残像が被験者２００の網膜から消滅している程度にリセット時間Ｒｋを長く設定しながら、全リセット時間Ｒｋ（ｋ＝１、２、３〜ｎ−１、ｎ）を極力短縮することが可能になる。そのため、眩しさ評価の信頼性と眩しさ評価の時間効率との双方を向上させることができる。
【００４７】
制御部３は、眩しさの程度の評価結果Ｇｋが一度入力された後においては、タイマ３ａがリセット時間Ｒｋを計時し終えるまでは、記憶部９に新たな眩しさの程度の評価結果Ｇｋを記憶させないことが好ましい。具体的には、評価結果入力部４の操作後、次の評価対象光源５が点灯するまでは、眩しさの程度の評価結果Ｇｋの入力のためのさらなる操作が評価結果入力部４に対して行われても、記憶部９に新たな眩しさの程度の評価結果Ｇｋを記憶させない。これによれば、１回の眩しさの程度の評価結果Ｇｋを入力するための時間内に、被験者２００が眩しさの程度評価結果Ｇｋを誤って複数回入力してしまうことに起因する不具合が生じない。
【００４８】
また、前述のように、本実施の形態の眩しさ評価システム１は、音情報を発生する音発生部１２を備えている。そのため、制御部３は、評価結果入力部４によって眩しさの程度の評価結果Ｇｋを入力すべきタイミングであることを被験者２００に認識させることが可能な特定の音情報を音発生部１２に発生させることができる。このように、本実施の形態においては、評価結果入力部４によって眩しさの程度の評価結果Ｇｋを入力すべきタイミングであることを被験者２００に認識させるために、聴覚による情報伝達手段である音情報が用いられる。そのため、被験者２００の眩しさの程度の評価結果Ｇｋに悪影響を与えることなく、評価結果入力部４によって眩しさの程度の評価結果Ｇｋを入力するべきタイミングであることを被験者２００に知らせることができる。音情報は、予めその音が評価結果Ｇｋを入力すべきタイミングであることを伝達できるのであれば、意味を有していない単なる音であってもよい。しかしながら、音情報は、たとえば、「眩しさの程度の評価結果Ｇｋを入力して下さい。」等の被験者２００がその意味を理解できる言葉からなる音声であることが好ましい。
【００４９】
上記のように音による情報伝達をする理由は、暗室１００内での表示光による刺激は被験者２００の眩しさの程度の評価結果Ｇｋに悪影響を与えるためである。そのため、制御部３は、評価対象光源５が点灯している期間において、評価結果入力部４によって眩しさの程度の評価結果Ｇｋを入力するように被験者２００に指示するための特定の音情報を音発生部１２に発生させるように構成されている。
【００５０】
本実施の形態においては、評価結果入力部４によって眩しさの程度の評価結果Ｇｋを入力すべきタイミングであることを被験者２００に認識させることが可能な特定の情報を発生させる情報発生部として、音発生部１２が例示されている。しかしながら、音発生部１２の代わりに、特定の情報を振動により被験者２００の皮膚に伝達する情報発生部が設けられていてもよい。すなわち、音発生部１２の代わりに、被験者２００に接触させることが可能なリストバンド等の振動発生部が設けられていてもよい。さらに、音発生部１２の代わりに、特定の情報を匂いまたは味により被験者２００に伝達する情報発生部が用いられてもよい。つまり、情報発生部は、視覚以外であれば、聴覚、触覚、臭覚、および味覚のいずれを利用して、前述の特定の情報を被験者２００に伝達するものであってもよい。
【００５１】
本実施の形態の眩しさ評価システム１は、前述の評価対象光源５の背景光の輝度を計測する輝度計測部７を備えている。そのため、制御部３は、輝度計測部７によって計測された輝度と眩しさの程度の評価結果Ｇｋとを互いに対応するように記憶部９に記憶させることができる。その結果、眩しさの程度の評価結果Ｇｋと背景光の輝度との関係に基づいて、背景光が眩しさの程度の評価に与える影響を分析することができる。
【００５２】
制御部３は、背景光の有無または背景光の輝度に応じて、リセット時間Ｒｋを変更してもよい。たとえば、制御部３は、背景光の輝度が高くなるにつれて、リセット時間Ｒｋを長くするように、評価対象光源５を制御してもよい。
【００５３】
眩しさ評価システム１は、前述のように、被験者２００の眼２２０の画像を撮像する撮像部１１を備えている。制御部３は、撮像部１１によって撮像された画像に基づいて、被験者２００の眼２２０が開き度合を算出する算出部３ｂを含んでいる。また、制御部３は、算出部３ｂによって算出された眼２２０の開き度合Ｏｋが所定の開き度合以上であるか否かを判定する判定部３ｃを含んでいる。制御部３は、判定部３ｃによって判定された眼２２０の開き度合Ｏｋが所定の開き度合以上である場合に、眩しさの程度の評価結果Ｇｋと眼２２０の開き度合Ｏｋが所定の開き度合以上であることを特定可能な情報とを互いに対応するように記憶部９に記憶させる。そのため、本実施の形態の眩しさ評価システム１によれば、眼２２０の開き度合Ｏｋが所定の開き度合以上である場合の眩しさの程度の評価結果Ｇｋのみを眩しさの程度の評価結果Ｇｋとして用いることが可能である。なお、たとえば、左右の眼２２０の上瞼と下瞼との間の距離の平均値が所定の値以上である場合に、眼２２０の開き度合Ｏｋが所定の開き度合以上であるものとみなしてもよい。
【００５４】
また、撮像部１１によって撮像された被験者２００の眼２２０の画像は、制御部３へ送られ、制御部３によってディスプレイ１０に表示される。その結果、検査者３００は、評価対象光源５が被験者２００によって注視されているか、または、被験者２００の視界に入っているかどうかを確認することができる。ただし、制御部３が撮像部１１によって撮像された眼２２０に基づいて、被験者２００の視線方向を算出してもよい。この場合、制御部３の判定部３ｃは、視線方向が評価対象光源５に向けられているか否か、または、視線方向に基づいて評価対象光源５が被験者２００の視界内に入っているか否かを判定してもよい。それにより、制御部３は、視線方向が評価対象光源５に向けられていない場合、または、評価対象光源５が被験者２００の視界内に入っていない場合に、被験者２００の視線方向を評価対象光源５に向けさせるための音声を音発生部１２に発生させてもよい。
【００５５】
眩しさ評価システム１は、被験者２００の顔を保持する視点位置固定部２１０を備えている。そのため、被験者２００の視線が評価対象光源５を向くか、または、評価対象光源５が被験者２００の視界の中に入るように、被験者２００の視点の位置を固定することができる。そのため、評価対象光源５と被験者２００の視点との間の相対的な位置関係が固定された状態で、眩しさの程度の評価結果Ｇｋが得られる。その結果、被験者２００の視点が移動する状態で眩しさの程度の評価結果Ｇｋが得られる場合に比較して、眩しさの程度の評価結果Ｇｋの信頼性が向上する。なお、視点位置固定部２１０は、被験者２００の視線を微調整することができるように構成されている。
【００５６】
眩しさ評価システム１は、前述のように、被験者２００に特定の視標を提示する視標提示部２を備えている。そのため、制御部３は、眩しさの程度の評価結果Ｇｋと視標の種類Ｅｋとを互いに対応するように記憶部９に記憶させることができる。その結果、本実施の形態の眩しさ評価システム１によれば、特定の視標を見るときの眩しさの程度の評価結果Ｇｋを得ることができる。
【００５７】
眩しさ評価システム１は、前述のように、評価対象光源５とは別に基準光源６を備えている。照明条件入力部８は、評価対象光源５の照明条件Ｔｋに加えて、基準光源６の照明条件Ｓｋを入力するように構成されている。そのため、制御部３は、基準光源６の照明条件Ｓｋと眩しさの程度の評価結果Ｇｋとを対応させて、記憶部９に記憶させることができる。その結果、基準光源６が存在する状況の下での眩しさの程度の評価結果Ｇｋを得ることができる。したがって、本実施の形態の眩しさ評価システム１によれば、日常生活に近い状態での評価対象光源５の眩しさの程度を評価することができる。
【００５８】
基準光源６の照明条件Ｓｋは、基準光源６が眩しさの程度の評価に影響を与える可能性があるもの全てを含む。基準光源６の照明条件Ｓｋは、基準光源６の輝度および大きさ、ならびに、被験者２００と基準象光源との間の距離を含んでいてもよい。また、基準光源６の照明条件Ｓｋは、基準光源６が、丸型または角型等の光源の形状の情報、光源の配光の広さの情報、または、光源の色温度の情報を含んでいてもよい。
【００５９】
また、被験者２００の個人的な性質に起因する眩しさの程度の評価結果Ｇｋの不安定性を排除することにより、眩しさの程度の評価結果Ｇｋの信頼性を向上させることが好ましい。そのためには、上記の眩しさ評価システムを使用するによって得られた眩しさの程度の評価結果Ｇｋの全てから、眩しさの程度の評価のためには適性を欠く被験者２００の眩しさの程度の評価結果Ｇｋを削除することが好ましい。たとえば、複数回の眩しさ評価において、眩しさの程度の評価結果Ｇｋに一貫性がない被験者２００の眩しさの程度の評価結果Ｇｋを削除することが好ましい。
【００６０】
また、次のような視機能検査によって視機能が完全ではない被験者２００の眩しさ評価を行わないことが好ましい。視機能検査としては、図６に示される視力検査、図７に示されるコントラスト感度検査、および図８に示される立体視検査等がある。これらの検査の結果、視機能が完全でない被験者２００の眩しさの程度の評価結果を削除すれば、視機能が完全ではないことに起因した悪影響が眩しさの程度の評価結果Ｇｋに含まれてしまうことを防止することができる。その結果、眩しさの程度の評価結果Ｇｋの信頼性を向上させることができる。図６〜図８に示される視力検査、コントラスト感度検査、および立体視検査等の視機能検査のための視標が視標提示部２によって提示されてもよい。これによれば、被験者２００の視点位置と視標との間の距離を一定に維持した状態で視機能検査を実施することができる。
【００６１】
以下、本実施の形態の眩しさ評価システム１の特徴およびそれにより得られる効果を説明する。
【００６２】
（１）  眩しさ評価システム１は、評価対象光源５、照明条件入力部８、評価結果入力部４、記憶部９、および制御部３を備えている。評価対象光源５は、その眩しさの程度が被験者２００によって評価される。照明条件入力部８は、評価対象光源５の照明条件Ｔｋを入力するためのものである。評価結果入力部４は、評価対象光源５の眩しさの程度の評価結果Ｇｋを入力するためのものである。記憶部９は、照明条件入力部８によって入力された照明条件Ｔｋおよび評価結果入力部４によって入力された眩しさの程度の評価結果Ｇｋを記憶するためのものである。制御部３は、タイマ３ａが計時している時間に基づいて評価対象光源５を制御する。制御部３は、照明条件Ｔｋと照明条件Ｔｋの下での眩しさの程度の評価結果Ｇｋとを互いに対応するように記憶部９に記憶させる。制御部３は、評価対象光源５を消灯した場合においては、タイマ３ａが照明条件Ｔｋに応じて予め定められたリセット時間Ｒｋを計時した後に、評価対象光源５を再度点灯させる。
【００６３】
上記の構成によれば、評価対象光源５が発した光の残像が被験者２００の網膜上に生じていない程度にリセット時間Ｒｋを長く設定しておけば、リセット時間Ｒｋ経過後の眩しさ評価結果Ｇｋの信頼性を向上させることができる。たとえば、評価対象光源５の輝度が最も高い状態で行われた眩しさの程度が評価された後においては、被験者２００の網膜上に評価対象光源５が発した光の残像が生じていない程度まで、リセット時間Ｒｋを十分に長くとっておくことが好ましい。これによれば、リセット時間Ｒｋを異ならせる必要はない。
【００６４】
（２）  照明条件Ｔｋは、評価対象光源５の輝度を含んでいることが好ましい。リセット時間Ｒｋは、輝度が高くなるにつれて、長くなるように予め設定されていることが好ましい。「予め設定」とは、輝度が高くなるにつれて長くなるリセット時間Ｒｋが眩しさ評価プログラム３０に含まれていることを意味する。
【００６５】
上記の構成によれば、評価対象光源５が発した光の残像が被験者２００の網膜から消滅している程度にリセット時間Ｒｋを長く設定しながら、リセット時間Ｒｋを極力短縮することが可能になる。そのため、眩しさ評価の信頼性と眩しさ評価の時間効率との双方を向上させることができる。
【００６６】
（３）  照明条件入力部８は、リセット時間Ｒｋを入力するように構成されていてもよい。この場合、制御部３は、照明条件入力部８によって入力されたリセット時間Ｒｋに基づいて、評価対象光源５を制御してもよい。
【００６７】
上記の構成によれば、検査者３００の判断でリセット時間Ｒｋを決定することができる。そのため、被験者２００の個人差等、評価対象光源５の輝度以外の眩しさ評価に影響を与える要因を考慮して、検査者３００が評価対象光源５の輝度等の照明条件Ｔｋから導きだされたリセット時間Ｒｋを変更することができる。
【００６８】
（４）  制御部３は、眩しさの程度の評価結果Ｇｋが入力された後においては、タイマ３ａがリセット時間Ｒｋを計時し終えるまでは、記憶部９に眩しさの程度の評価結果Ｇｋを記憶させないことが好ましい。これは、たとえ、眩しさの程度の評価結果Ｇｋの入力のための操作が評価結果入力部４に対して行われても、同様である。
【００６９】
上記の構成によれば、１回の眩しさの程度の評価結果Ｇｋの時間に、被験者２００が眩しさの程度評価結果Ｇｋを誤って複数回入力してしまうことに起因する不具合が生じない。
【００７０】
（５）  眩しさ評価システム１は、被験者２００の眼２２０以外の感覚器に刺激を与えることにより被験者２００に伝達することが可能な情報を発生させる情報発生部をさらに備えていることが好ましい。この場合、制御部３は、評価結果入力部４によって眩しさの程度の評価結果を入力すべきタイミングであることを被験者２００に認識させることが可能な特定の情報を情報発生部に発生させることが好ましい。
【００７１】
情報発生部の一例として、眩しさ評価システム１は、音情報を発生する音発生部１２をさらに備えていることが好ましい。この場合、制御部３は、評価結果入力部４によって眩しさの程度の評価結果Ｇｋを入力すべきタイミングであることを被験者２００に認識させることが可能な特定の音情報を音発生部１２に発生させることが好ましい。
【００７２】
上記の構成によれば、被験者の視覚以外の感覚器を利用して情報伝達が行われる。そのため、被験者２００の眩しさの程度の評価結果Ｇｋに悪影響を与えることなく、評価結果入力部４によって眩しさの程度の評価結果Ｇｋを入力するべきタイミングであることを被験者２００に知らせることができる。
【００７３】
（６）  眩しさ評価システム１は、評価対象光源５の背景光の輝度を計測する輝度計測部７をさらに備えていることが好ましい。この場合、制御部３は、輝度計測部７によって計測された輝度と眩しさの程度の評価結果Ｇｋとを互いに対応するように記憶部９に記憶させることが好ましい。
【００７４】
上記の構成によれば、眩しさの程度の評価結果Ｇｋと背景光の輝度との関係に基づいて、背景光が眩しさの程度の評価に与える影響を分析することができる。
【００７５】
（７）  眩しさ評価システム１は、被験者２００の眼２２０の画像を撮像する撮像部１１をさらに備えていることが好ましい。この場合、制御部３は、撮像部１１によって撮像された画像に基づいて、被験者２００の眼２２０が開き度合Ｏｋを算出する算出部３ｂを含んでいる。また、制御部３は、算出部３ｂによって算出された眼２２０の開き度合Ｏｋが所定の開き度合以上であるか否かを判定する判定部３ｃを含んでいる。制御部３は、判定部３ｃによって判定された眼２２０の開き度合Ｏｋが所定の開き度合以上である場合に、眩しさの程度の評価結果Ｇｋと眼２２０の開き度合Ｏｋが所定の開き度合以上であることを特定可能な情報とを互いに対応するように記憶部９に記憶させる。
【００７６】
上記の構成によれば、眼２２０の開き度合Ｏｋが所定の開き度合以上である場合の眩しさの程度の評価結果Ｇｋのみを眩しさの程度の評価結果Ｇｋとして用いることが可能になる。
【００７７】
（８）  眩しさ評価システム１は、視点位置固定部２１０をさらに備えていることが好ましい。この場合、視点位置固定部２１０は、被験者２００の顔を保持することにより、被験者２００の視線が評価対象光源５を向くか、または、評価対象光源５が被験者２００の視界の中に入るように被験者２００の視点の位置を固定する。
【００７８】
上記の構成によれば、評価対象光源５と被験者２００の視点との間の相対的な位置関係が固定された状態で、眩しさの程度の評価結果Ｇｋが得られる。そのため、被験者２００の視点が移動する状態で眩しさの程度の評価結果Ｇｋが得られる場合に比較して、眩しさの程度の評価結果Ｇｋの信頼性が向上する。
【００７９】
（９）  眩しさ評価システム１は、被験者２００に複数種類の視標のいずれか１つを提示する視標提示部２をさらに備えていることが好ましい。制御部３は、眩しさの程度の評価結果Ｇｋと視標の種類Ｅｋとを互いに対応するように記憶部９に記憶させることが好ましい。
【００８０】
上記の構成によれば、特定の視標を見るときの眩しさの程度の評価結果Ｇｋを得ることができる。
【００８１】
（１０）  眩しさ評価システム１は、評価対象光源５とは別に基準光源６をさらに備えていることが好ましい。照明条件入力部８は、評価対象光源５の照明条件Ｔｋに加えて、基準光源６の照明条件Ｓｋを入力するように構成されていることが好ましい。制御部３は、基準光源６の照明条件Ｓｋと眩しさの程度の評価結果Ｇｋとを対応させて、記憶部９に記憶させることが好ましい。
【００８２】
上記の構成によれば、基準光源６が存在する状況の下で、眩しさの程度の評価結果Ｇｋを得ることができる。したがって、日常生活に近い状態で、評価対象光源５の眩しさの程度を評価することができる。
【００８３】
（１１）  眩しさ評価プログラム３０は、制御部３としてのコンピュータに、次のステップを実行させる。
【００８４】
（ｉ）  タイマ３ａが計時している時間に基づいて評価対象光源５を制御するとともに、照明条件Ｔｋと照明条件Ｔｋの下での眩しさの程度の評価結果Ｇｋとを互いに対応するように記憶部９に記憶させるステップ
（ii）  評価対象光源５を消灯した場合においては、タイマ３ａが照明条件Ｔｋに応じて予め定められたリセット時間Ｒｋを計時した後に、評価対象光源５を再度点灯させるステップ
【符号の説明】
【００８５】
１  眩しさ評価システム
２  視標提示部
３  制御部
３ａ  タイマ
３ｂ  算出部
３ｃ  判定部
４  評価結果入力部
５  評価対象光源
６  基準光源
７  輝度計測部
８  照明条件入力部
９  記憶部
９ａ  データテーブル
１１  撮像部
１２  音発生部（情報発生部）
３０  眩しさ評価プログラム
２１０  視点位置固定部
Ｅｋ  視標の種類
Ｇｋ  眩しさの程度の評価結果
Ｏｋ  眼の開き度合
Ｒｋ  リセット時間
Ｔｋ  照明条件
【図１】
2016140612.tif 000003
【図２】
2016140612.tif 000004
【図３】
2016140612.tif 000005
【図４】
2016140612.tif 000006
【図５】
2016140612.tif 000007
【図６】
2016140612.tif 000008
【図７】
2016140612.tif 000009
【図８】
2016140612.tif 000010